(57)【要約】【課題】マネキンヘッドの外殻と支持台の取り付けが簡単で強固にできるマネキンヘッドを提供するものである。さらにマネキンヘッドの向きを簡単に変えることができるマネキンヘッドを提供する。【解決手段】軟質で弾力性を有する合成樹脂の外殻１と、外殻内に配置され外殻１を保形する保形材３と、外殻１を着脱自在に支持する支持台２とからなる理容・美容用マネキンヘッドにおいて、支持台２が、基板２ａの中央の挿通孔に挿通させて基板２ａを支持する基板支持部材６と、基板上に固定され、外殻１の下端の内周面に嵌合させた固定用リング４を固定する固定筒５と、基板１の上に配置され、固定用リング４との間に外殻１の下端を挟んだ状態で押圧する弾性を有する押圧リング７を備えたマネキンヘッド。【選択図】図４
2005080794.tif 000002
【特許請求の範囲】
【請求項１】
軟質で弾力性を有する合成樹脂の外殻と、外殻内に配置され外殻を保形する保形材と、外殻を着脱自在に支持する支持台とからなる理容・美容用マネキンヘッドにおいて、
前記支持台が、基板の中央の挿通孔に挿通させて基板を支持する基板支持部材と、
前記基板上に固定され、前記外殻の下端の内周面に嵌合させた固定用リングを固定する固定筒と、
前記基板の上に配置され、前記固定用リングとの間に前記外殻の下端を挟んだ状態で押圧する弾性を有する押圧リングを備えたことを特徴とする理容・美容用マネキンヘッド。
【請求項２】
前記基板が基板支持部材に回転可能に支持されていることを特徴とする請求項１記載の理容・美容用マネキンヘッド。
【請求項３】
前記基板が回転して所定の位置に位置決めされた後に回転しないようにする基板位置決め部材を備えていることを特徴とする請求項２記載の理容・美容用マネキンヘッド。
【発明の詳細な説明】
【技術分野】
【０００１】
本発明は、理容師、美容師あるいはこれらの資格修得を目指す人が技術の向上を図るため、実技のレッスンにおいて使用する理容・美容用マネキンヘッドに関する。  
【背景技術】
【０００２】
理容師、美容師あるいはこれらの資格修得を目指す人は、技術を向上させるためあるいは技術習得のために実技のレッスンを行う際には、頭部から首までのマネキンヘッドを使って、カットレッスン、ワインディングレッスン、ブローレッスン、セットレッスン、カラーレッスン、髭そりレッスン、美顔レッスン、メイクレッスンなどの各種のレッスンを行っている。
【０００３】
図８は従来のマネキンヘッドの縦断面図である。図８において、従来のマネキンヘッドは、軟質塩化ビニールで頭部および首部からなるマネキンヘッドの外殻１を形成する。また、マネキンの頭部表面に数ミリ間隔で穴を開け毛穴２２を作り、その毛穴に人毛あるいは人工毛などの毛２３を植え込み、裏側で接着剤２３ａを使用して、抜けないように固定している。軟質塩化ビニール製の外殻１は軟らかく、そのままでは使用中に変形するので、外殻１の保形のため、外殻１の内側の空洞に保形材３として硬質ウレタンを流し込んで固化する。マネキンヘッドは支持台２に支持される。
【０００４】
また、図９は本出願人が提案した理容・美容用マネキンヘッドである（特許文献１参照）。図９において、マネキンヘッドの外殻１は、従来のマネキンヘッドと同様に、軟質で弾力性を有する合成樹脂で厚み１〜２ｍｍ程度に形成する。軟質で弾力性を有する合成樹脂としては、軟質塩化ビニール樹脂、軟質ウレタン樹脂などを使用することができる。
【０００５】
マネキンヘッドの外殻１には、数ミリ間隔で穴を開けて毛穴２２を作り、その毛穴２２に人毛あるいは人工毛などの毛２３を植え込み、裏側で接着剤２３ａを使用して脱げないように接着する。外殻１は支持台２に着脱自在に支持する。例えば、外殻１の下部の内周にネジ２５を形成し、このネジ２５を支持台２に形成したネジ２６に螺合させて外殻１を支持台２に着脱自在に支持する。支持台２には、保形材３として風船が底板２８の上側にあり、風船の空気吹き込み管２９が底板２８を貫通して下側に突出している。風船は、ゴムなど弾力のある材質を使用する。支持台２には、マネキンヘッドをテーブルやスタンドなどの被固定部材に固定するため、グリッパーや万力型固定具等の固定具３０が設けられている。このマネキンヘッドは、しぼんだ状態の風船を外殻１の空洞内に位置させて支持台２のネジ２６に外殻１の下部のネジ２５を螺合させ、外殻１を回転させて支持台２に固定し、次いで、風船の空気吹き込み管２９から空気を吹き込んで、風船を膨らませていくと風船が外殻１の内面に接し、さらに空気を吹き込んでいくと風船内の空気圧により外殻１を外側に押す押圧力が作用する。このようにして成形したマネキンヘッドを固定具によりテーブルやスタンドなどに固定する。
【特許文献１】特開２００３−８８４２１号公報
【発明の開示】
【発明が解決しようとする課題】
【０００６】
従来のマネキンヘッドは、外殻が軟質の合成樹脂で作られているために、支持台に固定する外殻の下部のネジを支持台のネジに螺合させにくくかつ軟質の外殻を回転させにくいことから、外殻と支持台の取り付けに手間がかかり、また外殻と支持台の固定が強固でないという欠点があった。
【０００７】
また、マネキンヘッドを固定具によりテーブルやスタンドなどに固定するため、マネキンヘッドが一方向に向いているので、実技の際にカットなどの個所を例えば前から横や後に変える場合、作業個所にしたがって実習者や見学者が移動するか、あるいはマネキンヘッドの設置場所によってはネジあるいは固定具を緩めてマネキンヘッドの向きを変更しなくてはならないという欠点があった。
【０００８】
そこで、本発明は、マネキンヘッドの外殻と支持台の取り付けが簡単で強固にできるマネキンヘッドを提供するものである。さらにマネキンヘッドの向きを簡単に変えることができるマネキンヘッドを提供するものである。
【課題を解決するための手段】
【０００９】
本発明は、軟質で弾力性を有する合成樹脂の外殻と、外殻内に配置され外殻を保形する保形材と、外殻を着脱自在に支持する支持台とからなる理容・美容用マネキンヘッドにおいて、前記支持台が、基板の中央の挿通孔に挿通させて基板を支持する基板支持部材と、
前記基板上に固定され、前記外殻の下端の内周面に嵌合させた固定用リングを固定する固定筒と、前記基板の上に配置され、前記固定用リングとの間に前記外殻の下端を挟んだ状態で押圧する弾性を有する押圧リングを備えたことを特徴とする。
【００１０】
前記基板が基板支持部材に回転可能に支持され、さらに、前記基板が回転して所定の位置に位置決めされた後に回転しないようにする基板位置決め部材を備えることができる。
【発明の効果】
【００１１】
本発明のマネキンヘッドによれば、外殻の下部にリングを取り付けるとともに、支持台に取り付け枠を設けたので、外殻を支持台に簡単に且つ強固に固定することができる。
【００１２】
さらに、ラチェットを付加することによって、外殻を回転させてマネキンヘッドを任意の向きに変えて固定することができる。
【発明を実施するための最良の形態】
【００１３】
マネキンヘッドは、従来技術で説明した外殻の内側の空洞に硬質ウレタンを流し込んで固化したもの、あるいは風船を利用したもののいずれでもよい。
【実施例１】
【００１４】
図１は本発明の一実施例を示すマネキンヘッドの分解斜視図、図２は本発明の支持台の分解斜視図、図３は本発明の固定用リングの開閉状態を示す図、図４は本発明のマネキンヘッドの組み立て後の断面図である。
【００１５】
図１に示すように、マネキンヘッドは、人間の頭の形を模した外殻１と、この外殻１を支持する支持台２と、外殻１を保形するため外殻１の内部に収納する硬質ウレタン（図８参照）や風船（図９参照）などの保形材３から構成され、本実施例においては保形材３として風船を使用した例について説明する。支持台２は、基板２ａを支持する基板支持部材６、基板２ａ、この基板２ａの上に配置される押圧リング７、外殻１を固定する固定筒５によりなる。
【００１６】
マネキンヘッドの外殻１は、従来のマネキンヘッドと同様に、軟質塩化ビニール樹脂、軟質ウレタン樹脂などの軟質で弾力性を有する合成樹脂を使用し、厚み１〜２ｍｍ程度に形成する。マネキンヘッドの外殻１には、図示していないが、前記の従来例と同じく、数ミリ間隔で穴を開けて毛穴を作り、その毛穴に人毛あるいは人工毛などの毛を植え込み、裏側で接着剤を使用して抜けないように接着する。
【００１７】
外殻１下端の段部の内周面には合成樹脂製や金属製の硬質の固定用リング４を嵌合させる。固定用リング４の外周面には外殻１の内周面で滑らないようにして確実に嵌合させるため、凹凸面４ａに形成することが好ましい。固定用リング４の内周面には支持台２の固定筒５に固定する手段として、例えば固定筒５のネジ５ａに螺合させるネジ４ｂを形成する。固定用リング４と固定筒５の固定はネジ以外の周知の固定手段を利用することができる。固定用リング４を外殻１の下端の内周面に嵌合させることにより外殻１下端の内周面が補強されて支持台２に取り付けやすくなるとともに、確実に固定筒５に固定することができる。
【００１８】
図２に示すように、支持台２の基板２ａの中央には、基板２ａを支持する基板支持部材６を挿通する挿通孔２ｂが形成されている。基板支持部材６は中空の円錐形で下部に支持台２を保持するフランジ６ａが形成されている。本実施例では支持台２を回転可能に支持しているが、基板支持部材６を挿通孔２ｂに固定してもよい。基板支持部材６の中空部６ｂ（図４参照）にはテーブルなどへ固定するための固定具が押し込まれて嵌め込まれる。なお、固定具が小さい場合には固定具の周囲にスポンジなどの弾性体を巻いて中空部６ｂに押し込んで嵌め込むようにすればよい。
【００１９】
基板２ａの上には、外殻１の下端の外周を固定用リング４との間に挟んだ状態で押圧する弾性を有する押圧リング７が配置される。図３に示すように、押圧リング７は、両側に開くことできるように弾性を有する合成樹脂あるいは金属からなる。折り曲げ部分に切り欠き７ａを設けると容易に開くことができる。押圧リング７の下部には基板２ａに支持される支持片７ｂが間隔をおいて形成されている。支持片７ｂを全周に設けると押圧リング７が開けなくなるので、間隔をおいて設ける。支持片７ｂには長孔７ｃを形成し、長孔７ｃには基板２ａに立てたボルトからなるストッパー８が挿通されてナット７ｄにより押圧リング７が外れないようにしている。
【００２０】
図２に示すように、外殻１の下端に嵌合させた固定用リング４（図４参照）を固定する、上部が開放された切頭円錐の固定筒５が配置され、ボルト９とナット９ａで基板２ａに固定される。固定筒５の下端内周部には押圧リング７の支持片７ａより下側に突出する押圧リングストッパー７ｄが形成され、押圧リング７が開きすぎないように開き角度を規制している。
【００２１】
固定筒５内には外殻１を保形するための保形材３として風船が配置されている。風船には空気導入弁１０と空気放出弁１１が設けられ（図４参照）、いずれの弁も逆止弁で形成され、空気導入弁１０は空気導入時に開いて導入後は閉じ、空気放出弁１１は空気放出時のみに開く。
【００２２】
基板２ａには風船の空気導入弁１０に接続させて空気を供給するための空気供給管を挿入させる空気供給管挿入孔１０ａと、風船の空気放出弁１１から空気を抜いた時に放出される空気を逃がす空気逃がし孔１１ａが設けられている。支持部材６は風船が膨れると、風船に圧力与えて圧力を高める圧力付与部材として機能する。
【００２３】
本実施例におけるマネキンヘッドの組み立て手順の一例について説明する。なお、手順は組み立て易いように前後してもよい。
【００２４】
マネキンヘッドをテーブルなどへ固定するための固定具を基板支持部材６の中空部６ｂに押し込んで基板支持部材６を固定する。次いで、基板２ａに形成された挿通孔２ｂを基板支持部材６に挿通させて固定する。その後、押圧リング７を基板２ａに載せ、ストッパー８を基板２ａと押圧リング７の長孔７ｃに通してナット７ｄで押圧リング７が開閉できる程度に螺合させる。さらに、固定筒５を基板２ａにボルト９とナット９ａで固定したのち、保形材３である風船を固定筒５内に、空気導入弁１０と空気供給管挿入孔１０ａを、空気放出弁１１と空気逃がし孔１１ａを合わせてセットする。
【００２５】
ついで、図４に示すように、外殻１の下端の内周面に固定用リング４を嵌め込んだ後、押圧リング７を開き、外殻１を押し込んで固定用リング４のネジ４ｂを固定筒５のネジ５ａに螺合させて外殻１を固定筒５に固定した後、押圧リング７を閉じて固定筒５と固定用リング４の間に外殻を挟んで保持する。
【００２６】
その後、風船の空気導入弁１０に空気供給管を接続させて風船内に空気を供給して膨らませて外殻１を保形する。
【００２７】
マネキンヘッドのセットが完了するとレッスンに使用し、必要に応じて基板２ａを基板支持部材６の回りで回転させて作業を行うことができる。
【００２８】
マネキンヘッドをかたづける場合は、空気放出弁１１から空気を抜いた後、前記の組み立て手順と逆の手順で分解してコンパクトに収納することができる。
【００２９】
実施例２
本実施例は基板を回転させて所定の位置に位置決めして回転しないようにする基板位置決め部材を設けた例であり、図５は本実施例の支持台の分解斜視図、図６は本実施例の固定用リングの開閉状態を示す図、図７は組み立て後のマネキンヘッドの断面図である。実施例１と同一構成には同一符号を付してその説明は省略する。
【００３０】
本実施例においては、図５に示すように、基板支持部材６に歯車１２を固定し、基板２ａに歯車１２の歯に係止・係止解除可能なつめ係止レバー１３を固定したものである。基板支持部材６には歯車１２を係止するため、歯車１２の係止凹部１２ａに係止する係止凸部６ｃが形成され、基板２ａの挿通孔２ｂには係止凸部６ｃを通過させるための溝２ｃが形成されている。
【００３１】
図６に示すように、基板２ａに固定されたつめ係止レバー１３は、歯車１２の歯にバネ１３ａにより付勢されて噛み合うつめ１３ｂと、バネ１３ａの付勢力に抗してつめ１３ｂを回転させて歯車１２の歯から離して係止を解除するレバー１３ｃで構成される。
【００３２】
本実施例では、支持台２を回転させるときは、レバー１３ｃを押してつめ１３ｂを回転させて歯車１２の歯から係止を解除した状態で支持台２を必要な位置まで回転させた後、レバー１３ｃを戻すとつめ１３ｂが歯車１２の歯に係止され、支持台２の回転は阻止される。したがって作業中に支持台２が回転することはない。
【００３３】
なお、本実施例の位置決め手段では歯車とつめ係止レバーにより支持台の位置決め部材を構成したが、周知の回転位置決め部材で構成してもよい。
【産業上の利用可能性】
【００３４】
本発明は、理容師、美容師あるいはこれらの資格修得を目指す人が技術の向上を図るため、実技のレッスンにおいて使用する理容・美容用マネキンヘッドの外殻と支持台の取り付けが簡単で強固にでき、向きを簡単に変えることができるマネキンヘッドを提供するものであり、理容師、美容師の養成のための学校、理容室、美容室等の関連業界で広く利用出来る。
【図面の簡単な説明】
【００３５】
【図１】本発明の一実施例を示すマネキンヘッドの分解斜視図である。
【図２】本発明の支持台の分解斜視図である。
【図３】本発明の固定用リングの開閉状態を示す図である。
【図４】本発明のマネキンヘッドの組み立て後の断面図である。
【図５】本発明の別実施例における支持台の分解斜視図である。
【図６】本発明の別実施例における固定用リングの開閉状態を示す図である。
【図７】本発明の別実施例における組み立て後のマネキンヘッドの断面図である。
【図８】従来のマネキンヘッドの縦断面図である。
【図９】従来の理容・美容用マネキンヘッドである。
【符号の説明】
【００３６】
１：外殻      ２：支持台
２ａ：基板    ２ｂ：挿通孔
２ｃ：溝      ３：保形材
４：固定用リング    ４ａ：凹凸面
４ｂ：ネジ    ５：固定筒
５ａ：ネジ    ６：基板支持部材
６ａ：フランジ    ６ｂ：中空部
６ｃ：係止凸部    ７：押圧リング
７ａ：切り欠き    ７ｂ：支持片
７ｃ：長孔    ７ｄ：ナット
７ｅ：押圧リングストッパー  ８：ストッパー
９：ボルト    ９ａ：ナット
１０：空気導入弁    １０ａ：空気供給管挿入孔
１１：空気放出弁  １１ａ：空気逃がし孔
１２：歯車    １２ａ：係止凹部
１３：つめ係止レバー    １３ａ：バネ
１３ｂ：つめ    １３ｃ：レバー
【図１】
2005080794.tif 000003
【図２】
2005080794.tif 000004
【図３】
2005080794.tif 000005
【図４】
2005080794.tif 000006
【図５】
2005080794.tif 000007
【図６】
2005080794.tif 000008
【図７】
2005080794.tif 000009
【図８】
2005080794.tif 000010
【図９】
2005080794.tif 000011